(57)【要約】      （修正有）【課題】無線通信システムにおいてProximity Indicationメッセージの処理および接近検出の処理を行う方法およびシステムを実現する。【解決手段】無線機器がセル状態の遷移中に無線デバイスの接近検出および通知を検出する（３０８）。第１セル状態では無線デバイスはProximity Indicationの設定が行われる。第１セル状態から第２セル状態に遷移すると、無線機器は、Proximity Indicationに対して第２セル状態に応じた再設定を行うための情報を基地局から受信する（３１４）。再設定により、無線機器は、既存のProximity Indicationの設定の保存、設定削除、または、通知停止を行う（３２０）。基地局は、第２セル状態に基づき基地局に保存されているProximity Indicationの設定を調整する（３２４）。【選択図】図３
2011166787.tif 000002
【特許請求の範囲】
【請求項１】
無線通信システム内において、あるセル状態から異なるセル状態へと遷移するユーザ装置（ＵＥ）における接近検出の設定を行うための設定方法において、
上記ＵＥにおける接近検出の設定を行うための接近検出設定情報を受信する第１受信工程と、
上記ＵＥが上記接近検出とProximity Indicationの通知とを行うことを可能にする上記接近検出設定情報に基づいて、上記ＵＥにおける上記接近検出の設定を行う設定工程と、
第３世代（３Ｇ）無線規格に準拠する第１のセル状態から、上記３Ｇ無線規格に準拠する、上記第１のセル状態とは異なる第２のセル状態に遷移するまでに行われる上記ＵＥを設定する手続の一部として、メッセージを受信する第２受信工程と、
上記メッセージに応答して、上記ＵＥにおける上記Proximity Indicationの通知を上記第１のセル状態または上記第２のセル状態に基づいて再設定する再設定工程と、を含み、
上記無線通信システムは、上記３Ｇ無線規格に準拠するＵＭＴＳ（Universal Mobile telecommunications system）であり、上記メッセージは、上記３Ｇ無線規格における無線ベアラ制御メッセージ（radio bearer control message）である、ことを特徴とする設定方法。
【請求項２】
上記第１のセル状態はＣＥＬＬ＿ＤＣＨであり、上記第２のセル状態はＣＥＬＬ＿ＦＡＣＨ、ＣＥＬＬ＿ＰＣＨ、およびＵＲＡ＿ＰＣＨからなるグループから選択されるセル状態である、ことを特徴とする請求項１に記載の設定方法。
【請求項３】
上記ＵＥにおける上記Proximity Indicationの通知を再設定する再設定工程は、さらに、上記ＵＥにおける上記Proximity Indicationの通知を停止する工程を含んでいる、ことを特徴とする請求項２に記載の設定方法。
【請求項４】
上記ＵＥにおける接近検出の設定を行うための上記接近検出設定情報を、ＵＭＴＳ地上無線アクセスネットワーク（ＵＴＲＡＮ）から受信する、ことを特徴とする請求項１に記載の設定方法。
【請求項５】
上記ＵＥにおける上記Proximity Indicationの通知を再設定する再設定工程は、上記ＵＥにおける上記接近検出の設定を無効化または削除する工程と、上記ＵＥにおける上記接近検出を停止する工程と、を含んでいる、ことを特徴とする請求項２に記載の設定方法。
【請求項６】
上記ＵＥにおける上記Proximity Indicationの通知を再設定する再設定工程は、上記接近検出の設定を保存する工程と、上記接近検出の設定に基づいて上記接近検出を実行する工程と、を含んでいる、ことを特徴とする請求項２に記載の設定方法。
【請求項７】
上記第１のセル状態がＣＥＬＬ＿ＤＣＨであり、上記第２のセル状態がＣＥＬＬ＿ＦＡＣＨであり、ＣＥＬＬ＿ＦＡＣＨにおける高速ダウンリンク共有チャネル（ＨＳ−ＤＳＣＨ）の不連続受信（ＤＲＸ）が設定されているか、ＣＥＬＬ＿ＦＡＣＨ測定機会情報が上記ＵＥに設定されている場合には、上記ＵＥにおける上記Proximity Indicationの通知を再設定する再設定工程は、ＣＥＬＬ＿ＤＣＨからＣＥＬＬ＿ＦＡＣＨに上記ＵＥが遷移した後に上記ＵＥにProximity Indicationの通知を実行させる工程を含む、ことを特徴とする請求項１に記載の設定方法。
【請求項８】
上記ＵＥにおけるProximity Indicationの通知を再設定する再設定工程は、上記ＵＥにおける上記接近検出を停止する工程を含んでいる、ことを特徴とする請求項２に記載の設定方法。
【請求項９】
上記ＵＥにおける上記接近検出を上記ＵＥがＣＥＬＬ＿ＤＣＨに遷移した後に再開する工程をさらに含んでいる、ことを特徴とする請求項８に記載の設定方法。
【請求項１０】
上記ＵＥがＣＥＬＬ＿ＤＣＨに遷移した後に上記ＵＥがProximity Indicationの通知を再開する、ことを特徴とする請求項３に記載の設定方法。
【請求項１１】
ＵＭＴＳ地上無線アクセスネットワーク（ＵＴＲＡＮ）から受信した情報に基づいてユーザ装置（ＵＥ）における接近検出を無線通信システム内において設定する命令を含むコンピュータ読み取り可能な媒体であって、
上記設定は、
接近検出とProximity Indicationの通知との設定を行うための接近検出設定情報を受信する第１受信工程と、
上記ＵＥが上記接近検出とProximity Indicationの通知とを行うことを可能にする上記接近検出設定情報に基づいて、上記ＵＥにおける上記接近検出とProximity Indicationの通知との設定を行う設定工程と、
第３世代（３Ｇ）無線規格に準拠する第１のセル状態から、上記３Ｇ無線規格に準拠する、上記第１のセル状態とは異なる第２のセル状態に遷移するまでに行われる上記ＵＥを設定する手続の一部として、メッセージを受信する第２受信工程と、
上記メッセージに応答して、上記ＵＥにおける接近検出を上記第１のセル状態または上記第２のセル状態に基づいて再設定する再設定工程と、を含む方法によって行われるものであり、
上記ＵＴＲＡＮは上記３Ｇ無線規格に準拠するものであり、上記メッセージは、上記３Ｇ無線規格における無線ベアラ制御メッセージ（radio bearer control message）である、ことを特徴とするコンピュータ読み取り可能な媒体。
【請求項１２】
上記第１のセル状態がＣＥＬＬ＿ＤＣＨ状態であり、上記第２のセル状態がＣＥＬＬ＿ＦＡＣＨ状態、ＣＥＬＬ＿ＰＣＨ状態、またはＵＲＡ＿ＰＣＨ状態である場合には、上記接近検出を再設定する再設定工程は、接近検出とProximity Indicationの通知とを目的として上記ＵＥに送信される上記接近検出設定情報を保存する工程を含む、ことを特徴とする請求項１１に記載のコンピュータ読み取り可能な媒体。
【請求項１３】
上記第１のセル状態がＣＥＬＬ＿ＤＣＨ状態であり、上記第２のセル状態がＣＥＬＬ＿ＦＡＣＨ状態、ＣＥＬＬ＿ＰＣＨ状態、またはＵＲＡ＿ＰＣＨ状態である場合には、上記接近検出を再設定する再設定工程は、上記接近検出を無効化する工程を含むことを特徴とする請求項１１に記載のコンピュータ読み取り可能な媒体。
【請求項１４】
上記第１のセル状態がＣＥＬＬ＿ＦＡＣＨ、ＣＥＬＬ＿ＰＣＨ、およびＵＲＡ＿ＰＣＨからなるグループから選択されるセル状態であり、上記第２のセル状態はＣＥＬＬ＿ＤＣＨである場合に、上記方法が、ＣＥＬＬ＿ＤＣＨに上記ＵＥが遷移した後に上記ＵＥに上記接近検出を実行させる工程をさらに含む、ことを特徴とする請求項１３に記載のコンピュータ読み取り可能な媒体。
【請求項１５】
無線通信システム内において、第１のセル状態を使用してから第２のセル状態を使用するまでの遷移中に接近検出の設定を行うユーザ装置（ＵＥ）において、
通信モジュールとプロセッサとを備え、
上記通信モジュールは、
Proximity Indicationの通知と接近検出との設定を行うための情報であって上記ＵＥにおけるProximity Indicationの通知を設定するためのProximity Indication設定を含む情報を受信する通信モジュールであるとともに、
第３世代（３Ｇ）無線規格に準拠する第１のセル状態から、上記３Ｇ無線規格に準拠する、上記第１のセル状態とは異なる第２のセル状態に遷移するまでに行われる上記ＵＥを設定する手続の一部としてメッセージを受信するように構成されており、
上記プロセッサは、上記情報に基づいて該ＵＥにおける上記Proximity Indicationの通知を設定するプロセッサであって上記メッセージに基づいて上記第１のセル状態を使用してから上記第２のセル状態を使用するまでに該ＵＥを設定するプロセッサであり、
上記通信モジュールは、３Ｇ無線規格に準拠するＵＭＴＳ（Universal Mobile telecommunications system）地上無線アクセスネットワーク（ＵＴＲＡＮ）から上記情報および上記メッセージを受信し、
上記メッセージは、上記３Ｇ無線規格における無線ベアラ制御メッセージ（radio bearer control message）である、ことを特徴とするユーザ装置。
【請求項１６】
上記通信モジュールが上記メッセージを受信したことに応答して、上記Proximity Indicationの通知を停止することを特徴とする請求項１５に記載のユーザ装置。
【請求項１７】
上記通信モジュールが上記メッセージを受信したことに応答して、上記接近検出を停止することを特徴とする請求項１５に記載のユーザ装置。
【請求項１８】
上記通信モジュールが上記メッセージを受信したことに応答して、ＣＥＬＬ＿ＤＣＨ状態への遷移後に上記接近検出を再開することを特徴とする請求項１５に記載のユーザ装置。
【請求項１９】
ＣＥＬＬ＿ＤＣＨ状態への遷移後に該ＵＥにおける上記Proximity Indicationの通知を再開することを特徴とする請求項１６に記載のユーザ装置。
【発明の詳細な説明】
【技術分野】
【０００１】
本発明は、無線通信システムにおいてProximity Indicationメッセージの処理および接近検出の処理を行う方法およびシステムに関する。
【背景技術】
【０００２】
ＵＭＴＳ（Universal Mobile Telecommunications System）は、第３世代（３Ｇ）移動通信テクノロジーの１つであり、同時に４Ｇテクノロジーに発展しつつある。ＵＭＴＳ地上無線通信アクセスネットワーク（ＵＴＲＡＮ）は、ノードＢとして知られる基地局と無線ネットワークコントローラ（ＲＮＣ）として知られる基地局コントローラとを含むことによりＵＭＴＳアクセスネットワークを構成するコアネットワークの総称である。ＵＴＲＡＮは、リアルタイム回線交換のトラフィックからＩＰベースのパケット交換のトラフィックに至るまで多くのタイプのトラフィックを伝送することができる。ＵＴＲＡＮは、ユーザ装置（ＵＥ）とコアネットワークとの間の接続を許可する。ＲＮＣは、１つ以上のノードＢに制御機能を提供する。一般的な実装においては、多数のノードＢsの機能を果たす中央局内に単独のＲＮＣが設けられているが、１つのノードＢと１つのＲＮＣとが、単一のデバイス内で連結されていてもよい。
【０００３】
最近、移動通信業界においてモバイルアクセスポイントの展開によって、フェムトセルが無線通信システムに導入されるようになってきている。フェムトセルは小型の移動基地局であり、一般的には家庭またはスモールオフィスで使用するように設計されている。一般に、フェムトセルは、デジタル加入者線（ＤＳＬ）やケーブルブロードバンド接続といった顧客のブロードバンド接続を介して、サービスプロバイダのネットワークに接続する。フェムトセルは、サービスプロバイダが屋内（特に、フェムトセルがなければサービスが制限され、または利用不可能であるような屋内）におけるサービスエリアを拡張することを可能にする。フェムトセルは、３Ｇの用語で、ホームノードＢ（ＨＮＢ）と呼ばれる。
【０００４】
ＨＮＢは、しばしば、大規模にまとまりなく配置される。したがって、オペレータのコアネットワークへの接続は、効率的に実現される必要がある。ＣＳＧ（closed subscriber group）は、ＨＮＢへのアクセスが許可されている特定のＵＥのグループである。システム情報ブロックメッセージ（ＳＩＢ）内のＣＳＧ識別子（ＣＳＧ−ＩＤ）は、ＨＮＢからブロードキャストされるものであり、ＣＳＧ−ＩＤ（一般にＵＥに保存されている）のＣＳＧホワイトリストによって定められる上記グループのメンバーであるＵＥのみが、セルを選択する。
【０００５】
ＵＥからＨＮＢにハンドオーバーすることを決定する前に、ＵＴＲＡＮは、一般的に、対象となるＨＮＢセルに関するＵＥ測定情報を取得する。ＵＴＲＡＮは、ＵＥがどのような計測を行うかを制御することができる。ＵＥが効率的に上記計測を行うことを可能にするために、ＵＴＲＡＮによって発行される無線リソース制御（ＲＲＣ）測定制御メッセージを介してＵＥ内で接近検出の設定を行うことができるようになっている。ＵＥに送信されるある種類の測定結果には、ＣＳＧ接近検出情報が含まれている。ＵＥは、ＣＳＧ接近検出情報を用いて、ＵＥが持つＣＳＧホワイトリストに含まれる１つ以上のＨＮＢセルに接近検出機能を持たせたり、上記１つ以上のＨＮＢセルから接近検出機能を除いたりすることができる。ＵＥは、検出したＨＮＢを、測定レポートメッセージ内の接近レポートによってＵＴＲＡＮに通知することができる。
【０００６】
３ＧＰＰ（3rd Generation Partnership Project）仕様書は、接続モードにおいて４つのＲＲＣ状態（ＣＥＬＬ＿ＤＣＨ、ＣＥＬＬ＿ＦＡＣＨ、ＣＥＬＬ＿ＰＣＨ、およびＵＲＡ＿ＰＣＨ）を規定している。これらの状態は、ＵＥ接続のレベル、およびＵＥが使用可能なトランスポートチャネルを反映している。例えば、ＣＥＬＬ＿ＦＡＣＨ状態、ＣＥＬＬ＿ＰＣＨ状態、およびＵＲＡ＿ＰＣＨ状態は、専用のトランスポートチャネルが存在しないという事実によって特徴付けられている。対照的に、ＣＥＬＬ＿ＤＣＨ状態のＵＥには、専用のトランスポートチャネルが割り当てられている。ＣＥＬＬ＿ＦＡＣＨ状態においては、専用のトランスポートチャネルは割り当てられず、デフォルトの共通トランスポートチャネルまたは共有トランスポートチャネルが割り当てられる。ＲＲＣ層については、仕様書“3GPP TS 25.331 Radio Resource Control (RRC)”の中に詳細な説明があるので、ここでは詳細について繰り返し述べない。
【先行技術文献】
【特許文献】
【０００７】
【特許文献１】米国特許出願公開第２０１０／０３２３６３３号明細書
【特許文献２】米国特許出願公開第２０１０／０１６５９６０号明細書
【特許文献３】米国特許出願公開第２０１０／００６１３５６号明細書
【特許文献４】米国特許出願公開第２００９／０２０１８７１号明細書
【特許文献５】米国特許出願公開第２０１０／００４１４２９号明細書
【特許文献６】米国特許出願公開第２００８／０２５３３１２号明細書
【非特許文献１】チカマダス(TIKAMDAS)ほか著、”位置情報に基づく方向ベースの接近検出アルゴリズム(Direction-based Proximity Detection Algorithm for Location-based Services)”、IFIP主催無線光通信ネットワークに関する国際会議(IFIP International Conference on Wireless and Optical Communications Networks)、2009 (WOCN '09)、2009年4月28日、p18
【非特許文献２】ゴッシュ(GHOSH)ほか著、”3GPP W-CDMAにおける拡張アップリンクの概要(Overview of Enhanced Uplink for 3GPP W-CDMA)”、IEEE主催車両技術に関する第59回会議(IEEE 59th Vehicular Technology Conference)、2004 (VTC 2004-春)、第４巻、2004年5月15日、p2261
【非特許文献３】スコウタス(SKOUTAS)ほか著、”WCDMAにおけるダウンリンクDCHのOVSFコードの効率的な選択方法(Efficient Selection of OVSF codes for Downlink DCHin WCDMA)”、IEEE主催車両技術に関する第59回会議(IEEE 59th Vehicular Technology Conference)、2004 (VTC 2004-春)、2004年5月17日、p1954
【発明の概要】
【発明が解決しようとする課題】
【０００８】
現状の３ＧＰＰ仕様書は、ＵＴＲＡＮが、ＣＥＬＬ＿ＤＣＨ状態を用いて、ＵＥにおける接近検出の設定を行うことを示している。ＣＥＬＬ＿ＤＣＨ状態にある間、ＵＥは、何をいつ測定し、測定結果をどのように通知するかをＵＥに対して指示するメッセージをＵＴＲＡＮから受信する。しかしながら、現状の３ＧＰＰ仕様書には、ＵＥが、ＣＥＬＬ＿ＤＣＨから、ＣＥＬＬ＿ＦＡＣＨ、ＣＥＬＬ＿ＰＣＨ、またはＵＲＡ＿ＰＣＨに移るときに、ＵＥに対して接近検出の実行、および／またはProximity IndicationメッセージのＵＴＲＡＮへの通知をいつ、どこで、どのように行うかを指示する規格が存在しない。これにより生じる効率の悪さにより、ＵＥのバッテリ寿命の短縮、送信データの潜在ロス、無線リソース利用の低下、並びに、ＵＴＲＡＮおよび／またはＵＥによって保存される設定のエラーを招来する。
【０００９】
ここでは、無線通信システムにおいてProximity Indicationメッセージの処理および接近検出の処理を行う方法およびシステムを紹介する。
【課題を解決するための手段】
【００１０】
一実施形態では、接近検出を行うように設定されたＵＥは、該ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移すると、Proximity IndicationメッセージをＵＴＲＡＮに通知するのを停止する。ＵＥは、Proximity Indicationメッセージの通知を停止するとすぐに、接近検出を停止する。
【００１１】
いくつかの実施形態では、接近検出を行うように設定されたＵＥは、該ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移すると、該ＵＥのメモリに格納されている接近検出の設定を無効化するか、または、削除する。接近検出の設定を無効化したり、削除したりするとすぐに、ＵＥは接近検出を停止する。さらに、ＵＴＲＡＮは、ＵＴＲＡＮによって格納された接近検出情報を無効にしたり、削除したりすることができる。
【００１２】
さらなる実施形態では、接近検出を行うように設定されたＵＥは、該ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移すると、該ＵＥのメモリに格納されている接近検出の設定情報を保存する。ＵＥは、接近検出の設定情報を保存するとすぐに、接近検出を継続するとともに、保存されている接近検出の設定情報に基づいてProximity Indicationのレポートを送信する。さらに、ＵＴＲＡＮは、ＵＥにおける接近検出の設定を行うために使用される接近検出情報を保存する。
【００１３】
さらに別の実施形態では、接近検出を行うように設定されたＵＥは、該ＵＥがＣＥＬＬ＿ＦＡＣＨ状態、ＣＥＬＬ＿ＰＣＨ状態、およびＵＲＡ＿ＰＣＨ状態のいずれかの状態からＣＥＬＬ＿ＤＣＨ状態に遷移すると、該ＵＥのメモリに格納されている接近検出の設定情報を保存する。ＵＥは、接近検出を保存するとすぐに、接近検出を継続するとともに、保存されている接近検出の設定情報に基づいてProximity Indicationのレポートを送信する。
【００１４】
ここで、提示される解決法は、ＵＥによる接近の検出およびProximity Indicationの通知を設定する手続制御を規定するためにＣＥＬＬ＿ＤＣＨを用いたＵＥ内におけるＵＥのProximity Indicationの設定を規定する従来技術の限界を打破するものである。
【図面の簡単な説明】
【００１５】
開示される１以上の装置および方法の実施形態は、例示されるものであって添付の図面の形態に限定されない。図面中で同一の参照符号は、同様の構成要素を示している。
【図１】図１は、ＵＴＲＡＮ、ＵＥ、およびＨＮＢを含んでいる、無線通信システムを示す図である。
【図２】図２は、ＵＥのハードウェアアーキテクチャの例を示す高レベルのブロック図である。
【図３】図３は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationの通知を停止する場合にＵＴＲＡＮとＵＥとの間で行われる通信の具体例を示すタイミング図である。
【図４】図４は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationのレポートを保存する場合にＵＴＲＡＮとＵＥとの間で行われる通信の具体例を示すタイミング図である。
【図５】図５は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationのレポートを無効化するか削除する場合にＵＴＲＡＮとＵＥとの間で行われる通信の具体例を示すタイミング図である。
【図６】図６は、ＵＥがＣＥＬＬ＿ＦＡＣＨ状態、ＣＥＬＬ＿ＰＣＨ状態、およびＵＲＡ＿ＰＣＨ状態のいずれかの状態からＣＥＬＬ＿ＤＣＨ状態に遷移するときにProximity Indicationのレポートを保存する場合にＵＴＲＡＮとＵＥとの間で行われる通信の具体例を示すタイミング図である。
【発明を実施するための形態】
【００１６】
本明細書中の「実施形態」「一実施形態」などの言及は、説明する特定の特徴、構造、または性質が開示するシステムの少なくとも一実施形態の中に含まれていることを意味する。本明細書中に現れるそのような言い回しは、必ずしもすべてが同一の実施形態を参照しているわけではない。
【００１７】
３Ｇ無線通信システムの現状の実装では、接続モードにおける４つのＲＰＣセル状態のうちの１つであるＣＥＬＬ＿ＤＣＨ状態だけを用いてＵＥ内における接近検出の設定を行うようになっている。現状の３ＧＰＰの仕様書には、ＣＥＬＬ＿ＦＡＣＨ状態、ＣＥＬＬ＿ＰＣＨ状態、あるいはＵＲＡ＿ＰＣＨ状態で動作中のＵＥ、またはこれらの状態に遷移するＵＥが、接近検出を有効にしたり、無効にしたり、その他の設定を行ったりするための手続きについて記載されていない。同様に、ＣＥＬＬ＿ＤＣＨを介してＵＥにおけるProximity Indicationの設定を行うために使用されるＵＴＲＡＮは、ＵＥがＣＥＬＬ＿ＦＡＣＨ、ＣＥＬＬ＿ＰＣＨ、またはＵＲＡ＿ＰＣＨに遷移する際の動作手順に標準が存在しない。
【００１８】
図１は、ここで説明する技術を実装することが可能な、ＵＴＲＡＮ１１０、ＵＥ１００、およびＨＮＢ１１６を含む無線通信システムを示している。なお、ここで説明するＵＥは、上記技術を実装可能な無線デバイスの一つのタイプを説明したものであり、上記技術を実装するために他の無線デバイスを用いることも可能である。例えば、ＵＥは、携帯電話、ＰＤＡ（Personal Digital Assistant）、ポータブルメール端末（例えば、BlackBerry（登録商標）端末）、ポータブルメディアプレイヤー（例えば、アップルのipod touch（登録商標））、タブレット（スレート）コンピュータ（例えば、アップルのiPad（登録商標））、ネットブックコンピュータ、ノートブックコンピュータ、電子リーダ、または、無線通信機能を備えたその他の任意の装置であってもよい。
【００１９】
ＵＥ１００は、電話を発信したり、着信したり、データサービスを表示したりするのに用いられるディスプレイ１０４を備えている。いくつかの実施形態では、ディスプレイ１０４は、表示されているデータを直接操作可能なタッチスクリーンであってもよい。ＵＥ１００は、マルチファンクション入力モジュール１０６を備えており、マルチファンクション入力モジュール１０６によって、ＵＥ１００を動作させ、ディスプレイを操作し、データの選択を実行する。入力モジュール１０６は、例えば、キーボード、マウス、トラックボール、またはタッチスクリーンであってもよく、ユーザが行う選択を伝達することが可能な任意の他の入力モジュールであってもよい。さらに、ＵＥ１００は、アンテナシステム１０２を動作させて、無線ネットワークを介して情報の送受信を行う。
【００２０】
ＵＴＲＡＮ１１０は、ＵＥ１００と通信を行うために用いられる無線通信ネットワークである。ＵＴＲＡＮ１１０は、他の基地局との通信、並びに、基地局コントローラまたはＲＮＣ１１４といったＵＴＲＡＮ１１０内の他のネットワークコンポーネントとの通信を行う１つ以上の基地局（３ＧネットワークにおけるノードＢ）１１２を含んでいる。ＵＴＲＡＮ１１０のコアコンポーネント１１２および１１４は、無線インターフェース１０８を介してＵＥ１００と通信を行うことができる。無線インターフェース１０８としては、例えば、３ＧＰＰの仕様書にて規定されているＷＣＤＭＡ（wideband code division multiple access）の無線インターフェースが挙げられる。無線インターフェース１０８は、ＵＥ１００内の様々な機能（例えば、コネクションの確立、測定、無線ベアラサービス、セキュリティ、ハンドオーバーの決定）を制御するために、ＲＰＣメッセージを用いてＵＥ１００とＵＴＲＡＮ１１０との間で行われる制御プレーンの信号伝達を処理するのに用いられる。
【００２１】
ホームノードＢ（ＨＮＢ）１１６はフェムトセルである。ＨＮＢ１１６は、接近検出を行うように設定されているＵＥ１００が発見可能なＩＤを、無線周波１１８を介してブロードキャストすることができる。ＵＥ１００は、自律検索機能を用いて接近を検出する。ＵＴＲＡＮ１１０内においてＲＰＣ接続されている状態のＵＥ１００には、一般的に、ネットワーク制御のハンドオーバー機能が必要とされる。ＨＮＢ１１６にハンドオーバーするのを決定する前に、ＲＮＣ１１４は、ＨＮＢ１１６に関するＵＥ測定情報を取得する必要がある。ＨＮＢ１１６に接近していることを判定可能なＵＥ１００は、Proximity Indicationを含む測定レポートメッセージを送信することによってＲＮＣ１１４に通知することが可能である。ＲＮＣ１１４とＵＥ１００とは、ＲＰＣ制御プロトコルを用いてProximity Indicationを伝達する。
【００２２】
図２は、開示するシステムの１つ以上の特徴を実装可能なＵＥ１００の内部構成の一実施形態を示すブロック図である。図示されている実施形態では、ＵＥアーキテクチャ２００は、プロセッササブシステム２０２に加えてさらに１つ以上のプロセッサを備えたコンピュータシステムである。ＵＥアーキテクチャ２００は、さらに、メモリ２０４を含んでいる。メモリ２０４には、オペレーティングシステム２０８、データ２１８を含む記憶モジュール２１０、入力モジュール２１１、表示モジュール２１４、および通信モジュール２１６が含まれている。各モジュールは、インターコネクト２０６によって相互に接続さされ、電源２０９から電力の供給を受ける。
【００２３】
ＵＥアーキテクチャ２００は、好ましくはＵＴＲＡＮ１１０からデータ２１８を受信する高レベルのモジュールを実装する単一プロセッサシステムまたはマルチプロセッサシステムとして具体的に実現することが可能である。受信するデータ２１８は、通信モジュール２１６を介して伝達される。通信モジュール２１６は、１つまたは複数の周波数を用いてデータ２１８を送受信することが可能な単一または複数のアンテナシステムを備えている。データ２１８は、プロセッササブシステム２０２による検索のために記憶モジュール２１０内に格納されてもよいし、メモリ２０４に格納されてもよい。プロセッササブシステム２０２は、データ２１８によってシステムの機能（例えば、接近検出やindicationレポートの送信）を実行するように設定されている。
【００２４】
例えば、以下にさらに説明するように、ＲＮＣ１１４から接近検出の設定情報を含むＲＰＣメッセージを受信するとすぐに、通信モジュール２１６は、プロセッササブシステム２０２と連動して、インターコネクト２０６を介してメッセージを記憶モジュール２１０にリレーする。プロセッササブシステム２０２は、メッセージに含まれている接近検出の設定情報に基づいて、ＣＳＧセル（例えば、ＨＮＢ１１６）の接近検出および／またはproximity indicationのＵＴＲＡＮ１１０への通知を有効または無効に設定する。有効に設定するか無効に設定するかは、メッセージのデータ２１８に基づいている。
【００２５】
表示モジュール２１４は、ディスプレイ１０４（図１）に連結するように構成されており、ディスプレイ１０４に表示する情報を描画する。表示する情報は、テキスト、グラフィック、および／または、マルチメディア情報から構成することができ、グラフィカルユーザインターフェースで提示することができる。いくつかの実施形態では、ディスプレイ１０４は、表示されている情報に対する直接の操作を可能にする接触検知部を備えている。表示されている情報は、さらに、入力モジュール１０６によっても操作可能となっている。
【００２６】
入力モジュール２１１は、入力モジュール１０６で発生する信号からデータ２１８を受信するように構成されている。上記信号は、入力モジュール２１１に送信されるユーザの選択を含んでいてもよい。入力モジュール２１１は、インターコネクト２０６を介して、信号をプロセッササブシステム２０２およびオペレーティングシステム２０８に伝達する。
【００２７】
メモリ２０４は、例えば、プロセッササブシステム２０２、並びに、コンポーネント２０９、２１０、２１１、２１４および２１６によってアドレス指定される記憶場所を含んでおり、本システムに関連するソフトウェアプログラムコードおよびデータ構造を記憶する。同様に、プロセッササブシステム２０２およびコンポーネントは、ソフトウェアコードを実行してデータ構造を操作するように構成されている処理要素および／または論理回路を含んでいてもよい。オペレーティングシステム２０８が、一般的にメモリ２０４にその一部が常駐してプロセッササブシステム２０２により実行される。オペレーティングシステム２０８は、とりわけ、開示されている方法／装置のサポートでセルの状態選択およびproximity indicationに関する動作を呼び出すようにプロセッササブシステム２０２を設定することにより、ＵＥアーキテクチャ２００を機能的に組織することが可能である。ここで説明する技術に関連するプログラム指示に保存および実行のために、他の処理実装方法およびメモリ実装方法（コンピュータ読み取り可能な様々なストレージメディアを含む）を利用可能であることは、当業者であれば明らかであろう。
【００２８】
当業者は、ＨＮＢ１１６およびノードＢ１１２を動作させるのに類似した構成を使用可能であることを理解するであろう。例えば、ノードＢ１１２の内部アーキテクチャに通信モジュール１１２、プロセッササブシステム２０２、メモリ２０４、および記憶モジュール２１０が含まれ、各々がインターコネクト２０６を介して通信可能に構成される。
【００２９】
また、当業者は、開示する方法のすべて、または、そのいくつかが、コンピュータ読み取り可能な媒体２０４に格納され、プロセッサ２０２により実行されるソフトウェアを用いて実現可能であることを理解するであろう。
【００３０】
図３は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationの通知を停止する場合にＵＴＲＡＮとＵＥとの間で行われる通信の具体例を示すタイミング図である。初期状態では、ＵＥ１００は、ＲＲＣ  ＣＥＬＬ＿ＤＣＨ状態を用いるように設定されている（ステップＳ３０５）。ステップ３０６において、ＵＴＲＡＮ１１０は、測定制御メッセージを介してProximity Indicationの設定情報を送信することにより、ＵＥ１００がＣＧＳセル（例えば、ＨＮＢ３０４）の接近を検出することを可能にする。ステップ３０６における測定制御メッセージの目的は、ＵＥ１００内における測定の設定、変更、または解除を行うことにある。ＵＥ１００は、ステップＳ３０６における測定制御メッセージを受信するとすぐに、メッセージの内容に応じた動作を行う。メッセージがＵＥ１００に対して接近検出を有効にするよう指示するものである場合、ステップ３０８において、ＵＥ１００は、ＨＮＢ３０４の検出を実行する。例えば、ＵＥ１００は、ＣＳＧの接近検出を実行することにより、ＵＥ１００が、ＵＥのＣＳＧホワイトリストに含まれているＣＳＧ識別子をブロードキャストする１つ以上のＨＮＢ３０４に接近することを検出する。ＵＥ１００は、ステップ３０８における検出の結果を測定レポートとしてＵＴＲＡＮ１１０に送信する（ステップ３１０）。ステップ３１０における測定レポートは、ＵＴＲＡＮ１１０の設定により、検出の結果に加えて、周波数内測定やトラフィック量の測定といった他の測定結果を含むようになっていてもよい。
【００３１】
ステップ３１２において、ＵＴＲＡＮ１１０は、ＣＥＬＬ＿ＤＣＨ状態からＣＥＬＬ＿ＰＣＨ、ＣＥＬＬ＿ＦＡＣＨ、または、ＵＲＡ＿ＰＣＨといった異なるＲＰＣ接続状態に遷移することを決定する。ステップ３１２の決定は、ＵＴＲＡＮにより監視されるＵＥを送信元または送信先とするデータ伝送のアクティビティを含むイベントリストに応じたものであってもよいし、ステップ３１０において受信した測定レポートに応じたものであってもよい。ステップ３１４において、ＵＴＲＡＮ１１０は、無線ベアラ再設定メッセージを送信することにより、ＵＥをＣＥＬＬ＿ＤＣＨ状態から遷移させるための無線再設定手続を開始する。ステップ３１６において、ＵＥ１００は、無線ベアラ再設定の完了メッセージで応答する。ステップ３１８において、ＵＥ１００は、ＵＴＲＡＮ１１０から応答メッセージを受信した後、ステップ３１４の無線ベアラ再構成メッセージで指定された状態に応じた新しいＲＰＣ接続状態（ＣＥＬＬ＿ＰＣＨ、ＣＥＬＬ＿ＦＡＣＨ、ＵＲＡ＿ＰＣＨ）になる。ステップ３１８でＣＥＬＬ＿ＤＣＨ状態から新しい状態に遷移するとすぐに、ステップ３２０においてProximity Indicationの送信を停止してもよく、ステップ３２２において接近検出を停止してもよい。ＵＥ１００およびＵＴＲＡＮ１１０は、ステップ３０６においてＵＥ１００を設定するために使用したProximity Indicationの設定情報を保存してもよい。ＵＥ１００は、ＣＥＬＬ＿ＤＣＨからの遷移の後、接近検出の実行を選択的に（図示せず）再開してもよい。ＵＴＲＡＮ１１０は、無線ベアラ再設定メッセージを送信することによりＵＥを上記新しい状態からＣＥＬＬ＿ＤＣＨ状態に遷移させる同様の無線再設定手続（図示せず）を開始してもよい。ＵＥ１００は、無線ベアラ再設定の完了メッセージで応答する。ＵＥ１００は、新しいＲＰＣ接続状態（ＣＥＬＬ＿ＤＣＨ）になる。また、ＵＥ１００は、上記新しい状態からＣＥＬＬ＿ＤＣＨ状態に遷移するとすぐに、Proximity Indicationのレポートの送信を開始してもよい。さらに、ＵＥがＣＥＬＬ＿ＤＣＨから図３のステップ３１８における上記新しい状態に遷移すると接近検出を無効化するようになっている場合に、ＵＥは、接近検出を有効化するようにしてもよい。
【００３２】
別の実施形態（図示せず）では、ＣＥＬＬ＿ＦＡＣＨからＣＥＬＬ＿ＰＣＨまたはＵＲＡ＿ＰＣＨに遷移するときに、ＵＥ１００は、Proximity Indicationのレポートの送信を停止するようにしてもよく、接近検出を無効化してもよい。ＵＴＲＡＮ１１０は、ＵＥ１００を設定するのに使用したProximity Indicationの設定情報３２４を保存してもよい。
【００３３】
図４は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationのレポートを保存する場合にＵＴＲＡＮとＵＥとの間で行われる通信の具体例を示すタイミング図である。ステップ３０５〜ステップ３１６は、図３におけるステップ３０５〜ステップ３１６と同じであるが、ステップ３１１において、ＵＴＲＡＮ１１０は、ＵＥ１００をＣＥＬＬ＿ＦＡＣＨ状態に遷移させることを決定する。ＵＥ１００は、ＣＥＬＬ＿ＤＣＨ状態からＣＥＬＬ＿ＦＡＣＨ状態に遷移するとすぐに、ＣＥＬＬ＿ＦＡＣＨ測定機会情報または高速ダウンリンク共有チャネル（ＨＳ−ＤＳＣＨ）の非連続的な受信（ＤＲＸ受信）のための設定を行うかを決定することができる（ステップ３２６）。
【００３４】
ＣＥＬＬ＿ＦＡＣＨ状態におけるＣＥＬＬ＿ＦＡＣＨ測定機会情報およびＨＳ−ＤＳＣＨのＤＲＸ受信は、ＵＥ１００に他のセル（例えば、ＨＮＢ３０４）の測定を行わせるためにＣＥＬＬ＿ＦＡＣＨ状態においてＵＴＲＡＮ１１０がＵＥ１００へのダウンリンク送信を停止する時間を規定する。ＣＥＬＬ＿ＦＡＣＨ測定機会情報およびＨＳ−ＤＳＣＨのＤＲＸ受信は、共に、ＵＴＲＡＮ１１０によりＵＥ１００にブロードキャスト送信されるシステム情報を用いた設定が行われる。
【００３５】
ＵＥ１００は、ＣＥＬＬ＿ＤＣＨ状態からＣＥＬＬ＿ＦＡＣＨ状態に遷移し、ＣＥＬＬ＿ＦＡＣＨ測定機会情報または高速ダウンリンク共有チャネル（ＨＳ−ＤＳＣＨ）の非連続的な受信（ＤＲＸ受信）のための設定を行うかを決定する（ステップＳ３２６）とすぐに、ステップ３３０における検出を実行するとともにステップ３３２における測定レポートのＵＴＲＡＮ１１０への送信を行うことにより、Proximity Indicationの通知を継続するようにしてもよい（ステップ３２８）。ＵＴＲＡＮ１１０は、ステップ３０６においてＵＥ１００を設定するのに使用したProximity Indicationの設定情報を保存してもよい。
【００３６】
図５は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationのレポートを無効化するか削除する場合にＵＴＲＡＮとＵＥとの間で行われる通信の具体例を示すタイミング図である。ステップ３０５〜ステップ３１８は、図３におけるステップ３０５〜ステップ３１８と同じであるが、ステップ３１８において、ＵＥは、ＣＥＬＬ＿ＤＣＨから新しい状態に遷移するとすぐに、Proximity Indicationの設定情報を無効化または削除する（ステップ３３６）とともに、接近検出を停止する（ステップ３３８）ようにしてもよい。また、ＵＴＲＡＮ１１０は、ステップ３０６においてＵＥ１００を設定するのに使用したProximity Indicationの設定情報を無効化または削除する（ステップ３４０）ようにしてもよい。ＵＥが接近通知を行うことをＵＴＲＡＮ１１０が必要とする場合、ＵＴＲＡＮ１１０は、第２の測定制御を送信してＵＥＣＳＧの接近検出を再設定する必要がある。
【００３７】
無効化および削除は、従来公知の方法で行ってもよい。無効化は、例えば、ポインタ、参照子、またはデータフラグといった、ＵＥ１００および／またはＵＴＲＡＮ１１０の現状の設定が使用されないことを知らせる指示子から構成されてもよい。削除は、ＵＥ１００および／またはＵＴＲＡＮ１１０に格納されているProximity Indicationの設定情報お全部または一部の削除であってもよい。
【００３８】
別の実施形態（図示せず）では、ＵＥ１００がＣＥＬＬ＿ＦＡＣＨ状態からＣＥＬＬ＿ＰＣＨ状態またはＵＲＡ＿ＰＣＨ状態に遷移するときに、ＵＥは、Proximity Indicationの設定情報を無効化または削除するとともに、接近の検出を無効化してもよい。また、ＵＴＲＡＮ１１０は、ＵＥを設定するのに以前使用したProximity Indicationの設定情報を無効化または削除するようにしてもよい。
【００３９】
図６は、ＵＥがＣＥＬＬ＿ＤＣＨ状態からＣＥＬＬ＿ＦＡＣＨ状態、ＣＥＬＬ＿ＰＣＨ状態、およびＵＲＡ＿ＰＣＨ状態のいずれかの状態に遷移するときにProximity Indicationのレポートを保存する場合にＵＴＲＡＮとＵＥとの間で行われる通信の具体例を示すタイミング図である。ステップ３０５〜ステップ３１８は、図３におけるステップ３０５〜ステップ３１８と同じであるが、ＵＥ１００は、ステップ３０６において設定されたProximity Indicationの設定情報を保存する（ステップ３４２）。さらに、ＵＥは、１つ以上のＨＮＢ３０４の検出を実行する（ステップ３４６）とともに測定結果をＵＴＲＡＮ１１０に通知する（ステップ３４８）ことにより、Proximity Indicationを検出する能力を維持してもよい（ステップ３４４）。また、ＵＴＲＡＮ１１０は、ステップ３０６においてＵＥ１００を設定するのに使用したProximity Indicationの設定情報３５０を保存してもよい。
【００４０】
いくつかの場合、ＵＥ１００は、図３〜図６のステップ３１４において受信した無線ベアラ再設定メッセージに応答して、ステップ３１４のメッセージで示される状態とは異なる状態に遷移してもよい。これらの場合、ＵＥは、ステップ３０６において送信されたProximity Indicationの設定情報を無効化または削除してもよい。例えば、ステップ３１４の無線ベアラ再設定メッセージがセル状態ＣＥＬＬ＿ＦＡＣＨを用いるようにＵＥ１００を設定する情報を含んでいるものの、ＵＥ１００がセル状態ＣＥＬＬ＿ＰＣＨ、ＣＥＬＬ＿ＤＣＨ、またはＵＲＡ＿ＰＣＨを選択する場合、ＵＥ１００は、ＵＥ１００における接近検出の設定情報を無効化または削除してもよい。
【００４１】
同様に、図３〜図６で示されている実施形態の別の実装において、ＵＥ１００がステップ３１４の無線ベアラ再設定メッセージによってステップ３１８の新しい状態に遷移し、且つ、そのメッセージが遷移すべきセル状態を示してない場合、ＵＥ１００は、その接近設定情報を無効化または削除してもよい。
【００４２】
別の実施形態（図示せず）では、ＵＥ１００がＣＥＬＬ＿ＦＡＣＨからＣＥＬＬ＿ＰＣＨまたはＵＲＡ＿ＰＣＨに遷移するときに、ＵＥ１００は、Proximity Indicationの設定情報を保存する。さらに、ＵＥは、１つ以上のＨＮＢ３０４を対象として測定を行うとともに測定結果をＵＴＲＡＮ１１０に通知することにより、Proximity Indicationを検出する能力を維持してもよい。ＵＴＲＡＮ１１０は、ＵＥ１００を設定するのに以前使用したProximity Indicationの設定情報３５０を保存してもよい。ＵＥ１００が無線ベアラ再設定メッセージによってＣＥＬＬ＿ＰＣＨまたはＵＲＡ＿ＰＣＨに遷移し、且つ、そのメッセージが遷移すべきセル状態を示していない場合、ＵＥ１００は、その接近設定情報を無効化または削除してもよい。
【００４３】
図３〜図６で示されている実施形態のさらに別の実装において、ＵＥ１００がステップ３１４の無線ベアラ再設定メッセージによらずにステップ３１８の新しい状態に遷移する場合、ＵＥ１００は、ＵＥ１００の接近設定情報を無効化または削除してもよい。例えば、ＵＥ１００が無線リンクの失敗によってＵＴＲＡＮ１１０を検出できない場合、ＵＥ１００はある状態から別の状態に遷移してもよい。この場合、ＵＥ１００は、以前設定されたProximity Indicationを無効化または削除してもよい。
【００４４】
上で紹介した技術は、プログラムされたプログラマブル回路で実装することも、ソフトウェアおよび／またはファームウェアで構成することも、完全に専用回路で構成することも、そのような構成を組み合わせで実装することも可能である。特殊目的用の回路は（もしあれば）、例えば、１つ以上のＡＳＩＣ（Application-specific integrated circuit）、プログラマブルロジックデバイス、ＦＰＧＡ（Field Programmable Gate Array）等といった形態とすることができる。
【００４５】
ここで紹介した技術を実装するソフトウェアまたはファームウェアは、マシン読み取り可能な記録媒体に格納されていてもよいし、１つ以上の汎用または専用のプログラムマブルプロセッサによって実行されてもよい。ここで用いられる「マシン読み取り可能な媒体」という用語は、マシンがアクセス可能な形態で情報を保存可能な任意の機構を含んでいる。マシンは、例えば、コンピュータ、ネットワーク装置、携帯電話、ＰＤＡ（Personal Digital Assistant）、製造ツール、１つ以上のプロセッサを備えた任意のモジュール等であってもよい。例えば、マシン読み取り可能な媒体には、記録可能なメディアと記録不可能なメディアとの双方（例えば、リードオンリーメモリ（ＲＯＭ）、ランダムアクセスメモリ（ＲＡＭ）、磁気ディスク記録媒体、光記録媒体、フラッシュメモリデバイス等）が含まれる。
【００４６】
ここで用いられる「ロジック」という用語は、例えば、専用のハードワイヤードの回路、プログラママブル回路と併用するソフトウェアおよび／あるいはファームウェア、または両者の組み合わせを含んでいる。
【００４７】
本発明について特定の典型的な実施形態を参照しながら説明してきたが、本発明は、上述した実施形態に限定されず、添付のクレームの精神および範囲の中で変更および変化させても実現可能であることを認識するであろう。従って、明細書および図面は、限定的な意味ではなく例示的な意味を持つと見なすべきである。
【００４８】
〔関連出願の相互参照〕
本出願は、２０１０年２月１０日に出願された仮出願番号６１／３０２９７２号および
２０１０年２月１１日に出願された仮出願番号６１／３０３６７１号の各出願に関するものであって各出願を基礎として優先権を主張するものである。各出願の内容は、参照により本明細書に含まれる。
【図１】
2011166787.tif 000003
【図２】
2011166787.tif 000004
【図３】
2011166787.tif 000005
【図４】
2011166787.tif 000006
【図５】
2011166787.tif 000007
【図６】
2011166787.tif 000008